(57)【要約】  ユーザー認証部（２０１）は、ユーザーの指の指紋情報を読み取る指紋読取領域にユーザーの指が押下されると、そのユーザーの指の指紋情報を読み取り、読み取った指紋情報が、予め登録された登録指紋情報と一致するか否かを判定する。アイコン取得部（２０２）は、読み取られた指紋情報が登録指紋情報と一致する場合、読み取られた指紋情報のユーザーが使用可能な機能を示すアイコンを取得する。アイコン切り替え部（２０３）は、ユーザーの指の押下が継続されている場合、取得されたアイコンを、アイコンの取得順番で、所定の切り替え時間毎に、ユーザーの指の近傍に切り替え表示する。機能遷移部（２０５）は、そのアイコンの切り替え表示が行なわれている間に、ユーザーの指の押下が解除された場合、ユーザーが指の押下を解除した時点に表示されたアイコンの機能に遷移する。
2016080363.tif 000002
【特許請求の範囲】
【請求項１】
ユーザーの指の指紋情報を読み取る指紋読取領域にユーザーの指が押下されると、前記ユーザーの指の指紋情報を読み取り、読み取った前記指紋情報が、予め登録された登録指紋情報と一致するか否かを判定するユーザー認証部と、
読み取られた前記指紋情報が前記登録指紋情報と一致する場合、読み取られた前記指紋情報のユーザーが使用可能な機能を示すアイコンを取得するアイコン取得部と、
前記ユーザーの指の押下が継続されている場合、取得された前記アイコンを、前記アイコンの取得順番で、所定の切り替え時間毎に、前記ユーザーの指の近傍に切り替え表示するアイコン切り替え部と、
前記アイコンの切り替え表示が行なわれている間に、前記ユーザーの指の押下が解除された場合、前記ユーザーが指の押下を解除した時点に表示されたアイコンの機能に遷移する機能遷移部と、
を備えることを特徴とする操作装置。
【請求項２】
前記アイコン取得部は、前記ユーザーの使用頻度が高い機能の順番で前記アイコンを取得することを特徴とする請求項１に記載の操作装置。
【請求項３】
前記アイコンの切り替え表示が行なわれている間に、前記ユーザーの指の押下圧が変化したか否かを判定し、前記押下圧が変化した場合に、前記押下圧の変化の大小に対応して、前記切り替え時間を変更する切り替え時間変更部を更に備えることを特徴とする請求項１に記載の操作装置。
【請求項４】
ユーザーの指の指紋情報を読み取る指紋読取領域にユーザーの指が押下されると、前記ユーザーの指の指紋情報を読み取り、読み取った前記指紋情報が、予め登録された登録指紋情報と一致するか否かを判定するユーザー認証ステップと、
読み取られた前記指紋情報が前記登録指紋情報と一致する場合、読み取られた前記指紋情報のユーザーが使用可能な機能を示すアイコンを取得するアイコン取得ステップと、
前記ユーザーの指の押下が継続されている場合、取得された前記アイコンを、前記アイコンの取得順番で、所定の切り替え時間毎に、前記ユーザーの指の近傍に切り替え表示するアイコン切り替えステップと、
前記アイコンの切り替え表示が行なわれている間に、前記ユーザーの指の押下が解除された場合、前記ユーザーが指の押下を解除した時点に表示されたアイコンの機能に遷移する機能遷移ステップと、
を備えることを特徴とする操作方法。 
【発明の詳細な説明】
【技術分野】
【０００１】
本発明は、操作装置及び操作方法に関する。
【背景技術】
【０００２】
操作装置に認証機能が備わっている場合、通常、ユーザーが、所定の認証手段（パスワード認証、ＩＣカード認証、指紋認証等）を用いて、ユーザー認証を行なう。そして、ユーザー認証が成功すると、操作装置のタッチパネル上の画面は、初期画面やホーム画面に遷移する。ユーザーは、遷移後の初期画面を操作することで、操作装置に接続された電子装置（例えば、画像形成装置）に命令を送り、所望の機能を使うことが出来る。【０００３】
しかしながら、上述のような電子装置では、ユーザーが、認証操作と認証後の画面操作とを別々に実行しなければならず、ユーザーに対して操作性が悪いという問題がある。【０００４】
そこで、このような問題を解消する技術として、例えば、（ａ）特開２００８−４６６９２号公報（特許文献１）には、指紋認証と指の動作とを関連付けて特定の機能を呼び出す入力装置が開示されており、（ｂ）特開２０１２−１９４７３１号公報（特許文献２）には、機能設定に対応した振動によって動作する表示装置が開示されている。
【先行技術文献】
【特許文献】
【０００５】
【特許文献１】特開２００８−４６６９２号公報
【特許文献２】特開２０１２−１９４７３１号公報
【発明の概要】
【発明が解決しようとする課題】
【０００６】
しかしながら、特許文献１に記載の技術では、指の動作と機能とを結び付けるための登録作業が必要であり、ユーザーが操作装置を使用するまでに手間が掛かるという問題がある。又、指の動作に対して登録可能な機能の数は限られており、新規機能が追加された場合に、登録後の機能と指の動作との関連付けを更新する必要がある。又、特許文献２に記載の技術では、振動と認証操作と無関係であり、ユーザーは、認証操作と画面操作とを別々に行なわなければならないという問題がある。【０００７】
そこで、本発明は、前記問題を解決するためになされたものであり、ユーザーが認証操作と画面操作とを併せてすることが可能な操作装置及び操作方法を提供することを目的とする。
【課題を解決するための手段】
【０００８】
本発明の一局面に係る操作装置は、ユーザー認証部と、アイコン取得部と、アイコン切り替え部と、機能遷移部とを備える。ユーザー認証部は、ユーザーの指の指紋情報を読み取る指紋読取領域にユーザーの指が押下されると、前記ユーザーの指の指紋情報を読み取り、読み取った前記指紋情報が、予め登録された登録指紋情報と一致するか否かを判定する。アイコン取得部は、読み取られた前記指紋情報が前記登録指紋情報と一致する場合、読み取られた前記指紋情報のユーザーが使用可能な機能を示すアイコンを取得する。アイコン切り替え部は、前記ユーザーの指の押下が継続されている場合、取得された前記アイコンを、前記アイコンの取得順番で、所定の切り替え時間毎に、前記ユーザーの指の近傍に切り替え表示する。機能遷移部は、前記アイコンの切り替え表示が行なわれている間に、前記ユーザーの指の押下が解除された場合、前記ユーザーが指の押下を解除した時点に表示されたアイコンの機能に遷移する。【０００９】
本発明の一局面に係る操作方法は、ユーザー認証ステップと、アイコン取得ステップと、アイコン切り替えステップと、機能遷移ステップとを備える。ユーザー認証ステップは、ユーザーの指の指紋情報を読み取る指紋読取領域にユーザーの指が押下されると、前記ユーザーの指の指紋情報を読み取り、読み取った前記指紋情報が、予め登録された登録指紋情報と一致するか否かを判定する。アイコン取得ステップは、読み取られた前記指紋情報が前記登録指紋情報と一致する場合、読み取られた前記指紋情報のユーザーが使用可能な機能を示すアイコンを取得する。アイコン切り替えステップは、前記ユーザーの指の押下が継続されている場合、取得された前記アイコンを、前記アイコンの取得順番で、所定の切り替え時間毎に、前記ユーザーの指の近傍に切り替え表示する。機能遷移ステップは、前記アイコンの切り替え表示が行なわれている間に、前記ユーザーの指の押下が解除された場合、前記ユーザーが指の押下を解除した時点に表示されたアイコンの機能に遷移する。
【発明の効果】
【００１０】
本発明の操作装置及び操作方法によれば、ユーザーが認証操作と画面操作とを併せてすることが可能となる。
【図面の簡単な説明】
【００１１】
【図１】本発明の実施形態に係る操作装置を備えた画像処理装置の全体構成を示す概念図である。
【図２】本発明の実施形態に係る操作装置を備えた画像処理装置の機能ブロック図である。
【図３】本発明の実施形態に係る実行手順を示すためのフローチャートである。
【図４Ａ】本発明の実施形態におけるログイン画面の一例を示す図である。
【図４Ｂ】本発明の実施形態におけるアイコンテーブルの一例を示す図である。
【図５Ａ】本発明の実施形態における第一のアイコンの表示の一例を示す図である。
【図５Ｂ】本発明の実施形態における第二のアイコンの表示の一例を示す図である。
【図６Ａ】本発明の実施形態における機能画面の一例を示す図である。
【図６Ｂ】本発明の実施形態における初期画面の一例を示す図である。
【発明を実施するための形態】
【００１２】
以下に、添付図面を参照して、本発明の操作装置及び操作方法の実施形態について説明する。尚、以下の実施形態は、本発明を具体化した一例であって、本発明の技術的範囲を限定するものではない。
【００１３】
以下に、本発明の実施形態の一例として、操作装置（操作部）を備えた画像処理装置について説明する。
【００１４】
尚、この画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）、複写機、プリンター等が該当する。 
【００１５】
画像処理装置１００は、図１に示すように、操作部１０１を介してユーザーから所定のジョブの設定条件を受け付ける。ジョブは、例えば、コピー機能、ファクシミリ機能、スキャン機能、プリント機能のいずれか又はこれらの組み合わせで構成されるジョブである。又、操作部１０１は、タッチパネルを備え、所定の画面を表示するとともに、ユーザーからの指の接触を検知する。更に、操作部１０１は、タッチパネルのうち、ユーザーの指の指紋を読み取る指紋読取部を備え、ユーザーがタッチパネル上に指の裏を接触させることで、当該指の裏の指紋を読み取る。
【００１６】
画像処理装置１００は、操作部１０１によりジョブの設定条件を受け付けると、画像読取部１０２、搬送部１０３、画像形成部１０４、通信部１０５等の各部を駆動し、当該ジョブを実行する。画像読取部１０２は、原稿台又は自動原稿給送部に載置された原稿の画像データを読み取る。搬送部１０３は、給紙カセット又は手差しトレイから用紙を画像形成部１０４へ搬送する。画像形成部１０４は、搬送された用紙に、画像データに対応するトナー像を転写し、定着ローラで定着して、画像形成を実行する。通信部１０５は、ネットワーク１０６に接続され、設定条件に従い、所定の送信先に、画像データを送信する。
【００１７】
尚、画像処理装置１００、操作部１０１の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、および各駆動部に対応するドライバーを備え、それらは内部バスによって互いに接続されている。
【００１８】
画像処理装置１００、操作部１０１のＣＰＵは、例えば、ＲＡＭを作業領域として利用し、ＲＯＭ、ＨＤＤ、ＳＳＤ等に記憶されているプログラムを実行し、当該実行結果に基づいてドライバーからのデータ、指示、信号、命令等を授受し、ジョブの実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ、ＳＳＤ等には、以下に説明する各部を実現するプログラムやデータが記憶されている。
【００１９】
次に、図２および図３を参照しながら、本発明の実施形態に係る構成及び実行手順について説明する。先ず、ユーザーが、画像処理装置１００の電源を投入すると、当該画像処理装置１００の操作部１０１のユーザー認証部２０１が、ユーザーの指の指紋情報を読み取る指紋読取領域を設けたログイン画面４００をタッチパネル上に表示して（図３：ステップＳ１０１）、ユーザーから指の指紋情報の入力を受け付ける。
【００２０】
ここで、ユーザー認証部２０１がログイン画面４００を表示する方法に特に限定は無い。例えば、ログイン画面４００は、図４Ａに示すように、文字等の情報を何ら表示せず、指紋読取領域４０１を中央近傍領域に設けるよう構成している。尚、指紋読取領域４０１は、中央近傍領域に限らず、ログイン画面４００のいずれの領域でも全領域でも構わない。又、指紋読取領域４０１の他に、「指の裏を接触させて下さい」等のメッセージを設けて、ユーザーが指の指紋情報を入力し易くしても良い。更に、他のユーザー認証方法であるユーザーＩＤ及びパスワードの入力を可能とする入力画面を設けて、ユーザーの指の指紋情報以外でも、ユーザーがユーザー認証出来るよう構成しても良い。
【００２１】
ユーザーが、ログイン画面４００を見ながら、自身の指４０２の裏を指紋読取領域４０１に接触させると（ユーザーが指４０２を指紋読取領域４０１に押下させると）、ユーザー認証部２０１は、ユーザーの指４０２の裏の接触を検知する（図３：ステップＳ１０２でＹＥＳ）。そして、ユーザー認証部２０１は、指紋読取領域４０１を介してユーザーの指４０２の指紋情報を読み取る（図３：ステップＳ１０３）。その指紋情報の読み取り方法は特定の方法に限定されず、公知の方法を採用出来る。
【００２２】
そして、ユーザー認証部２０１は、読み取ったユーザーの指４０２の指紋情報と、予め登録された登録指紋情報とを照合して、読み取ったユーザーの指４０２の指紋情報がその登録指紋情報と一致するか否かを判定する（図３：ステップＳ１０４）。その指紋情報の照合方法は特定の方法に限定されず、公知の方法を採用出来る。
【００２３】
上述の判定の結果、読み取ったユーザーの指４０２の指紋情報が上述の登録指紋情報と一致しない場合（図３：ステップＳ１０４でＮＯ）、ユーザー認証部２０１は、例えば、読み取った指紋情報は不適切である旨のエラー画面を表示する。そして、ユーザー認証部２０１は、ステップＳ１０１へ戻って、ログイン画面４００を表示し、ユーザーから正しい指紋情報の入力を再度受け付ける（図３：ステップＳ１０１）。
【００２４】
一方、ステップＳ１０４において、上述の判定の結果、読み取ったユーザーの指４０２の指紋情報が上述の登録指紋情報と一致する場合（図３：ステップＳ１０４でＹＥＳ）、ユーザー認証部２０１は、その旨をアイコン取得部２０２に通知する。当該通知を受けたアイコン取得部２０２は、一致した指紋情報のユーザーが使用可能な機能を示すアイコンを取得する（図３：ステップＳ１０１）。
【００２５】
ここで、アイコン取得部２０２がアイコンを取得する方法は特定の方法に限定されない。例えば、アイコン取得部２０２は、指紋情報のユーザーを識別するユーザーＩＤ（例えば、「ＡＡＡ」）を、ユーザー認証部２０１から取得し、当該ユーザーＩＤに対応するアイコンテーブル４０３を参照する。
【００２６】
アイコンテーブル４０３には、図４Ｂに示すように、ユーザーＩＤ４０４（「ＡＡＡ」）と、当該ユーザーＩＤ４０４のユーザーが使用可能な機能を示すアイコン４０５と、当該アイコンの機能４０６（例えば、「コピー」等）と、所定の期間（例えば、「１月」）において、当該アイコン４０５の機能４０６をユーザーＩＤ４０４のユーザーが使用した使用頻度４０７とが関連付けて記憶される。尚、機能４０６には、コピー、ファクシミリ送信や電子メール送信を示すセンド、予め登録されたアドレスブックのＰＣ（端末装置）にスキャンされた画像データを送信するスキャントゥーＰＣ（アドレスブック）、運転免許証等の証明書を表面及び裏面の印刷を実行するＩＤカードコピー、ユーザーが任意に入力した送信先にスキャンされた画像データを送信するスキャントゥーＰＣ（アドレスエントリー）、下級紙を用いて印刷するペーパーセーブコピーがセットされている。ユーザーＩＤ４０４に対して、所定のアイコン４０５及び機能４０６が関連付けて記憶されることで、これらの情報が、ユーザーＩＤ４０４のユーザーに対する認可情報として機能する。
【００２７】
アイコン取得部２０２は、単純に、アイコン４０５が記憶されている順番に当該アイコン４０５（「コピー」、「センド」、「スキャントゥーＰＣ（アドレスブック）」等）を取得しても良いし、当該アイコン４０５に対応する使用頻度４０７を考慮して、ユーザーの使用頻度４０７が高い機能４０６の順番に前記アイコン４０５（「コピー」、「スキャントゥーＰＣ（アドレスブック）」、「ＩＤカードコピー」等）を取得しても良い。
【００２８】
さて、アイコン取得部２０２がアイコンの取得を完了すると、その旨をアイコン切り替え部２０３に通知する。当該通知を受けたアイコン切り替え部２０３は、ユーザーの指４０２の押下（ユーザーの指４０２の裏の接触）が継続されているか否かを判定する（図３：ステップＳ１０６）。 
【００２９】
上述の判定の結果、ユーザーの指４０２の押下が継続されている場合（図３：ステップＳ１０６でＹＥＳ）、アイコン切り替え部２０３は、取得されたアイコンを、取得された順番で、所定の切り替え時間毎に、ユーザーの指４０２の近傍に切り替え表示する（図３：ステップＳ１０７）。尚、ユーザーの指４０２の押下が継続されていない場合は（図３：ステップＳ１０６でＮＯ）、後述する。
【００３０】
ここで、アイコン切り替え部２０３がアイコンを切り替え表示する方法は特定の方法に限定されない。例えば、図５Ａに示すように、アイコン切り替え部２０３が、第一のアイコン５００を、ユーザーの指４０２の上方近傍に表示するとともに、所定のタイマーを用いて、第一のアイコン５００を表示した時点からの経過時間を経時する。第一のアイコン５００は、最初に取得された「コピー」のアイコンである。そして、アイコン切り替え部２０３は、その経過時間が、予め設定された切り替え時間（例えば、２秒間）を超過するか否かを判定する。上述の判定の結果、その経過時間がその切り替え時間を超過しない場合は、アイコン切り替え部２０３は、第一のアイコン５００の表示を継続する。その経過時間がその切り替え時間を超過した場合は、アイコン切り替え部２０３は、第一のアイコン５００を消去し、次の順番で取得された第二のアイコン５０１を、図５Ｂに示すように、ユーザーの指４０２の上方近傍に表示し、再度、第二のアイコン５０１を表示した時点からの経過時間を経時する。第二のアイコン５０１は、二番目に取得された「センド」のアイコンである。このようにして、アイコン切り替え部２０３は、複数のアイコンを順次切り替え表示する。
【００３１】
尚、アイコン切り替え部２０３は、最後に取得されたアイコンを表示した後に、上述の経過時間が上述の切り替え時間を超過した場合、上述の、最後に取得されたアイコンを消去し、最初に戻って、最初に取得されたアイコンを表示する。
【００３２】
これにより、ユーザーが、指紋認証のために指４０２をタッチパネルに継続して接触させることで、ユーザー認証とアイコンの切り替え表示とを一回の操作で行なうことが可能となる。
【００３３】
アイコン切り替え部２０３がアイコンの切り替え表示を行なうと、その旨を切り替え時間変更部２０４に通知する。当該通知を受けた切り替え時間変更部２０４は、上述の押下（接触）が継続しているユーザーの指４０２の押下圧（接触圧）が変化したか否かを判定する（図３：ステップＳ１０８）。その押下圧の変化の判定方法は特定の方法に限定されず、例えば、切り替え時間変更部２０４は、その接触が継続しているユーザーの指４０２の押下圧が、予め設定された高押下圧になったか、低押下圧になったかを判定する。その押下圧がその高押下圧になった場合に、切り替え時間変更部２０４は、その押下圧が大きくなったと判定する。一方、その押下圧がその低押下圧となった場合に、切り替え時間変更部２０４は、その押下圧が小さくなったと判定する。又、その押下圧が高押下圧にも低押下圧にも変化しなかった場合、切り替え時間変更部２０４は、その押下圧は変化しないと判定する。
【００３４】
上述の判定の結果、上述の押下圧が変化しない場合（図３：ステップＳ１０８でＮＯ）、切り替え時間変更部２０４は、特に何もせず、ユーザーの指４０２の接触が継続される限り、当該ユーザーの指４０２の押下圧が変化したか否かの判定を継続する。
【００３５】
一方、ステップＳ１０８において、上述の判定の結果、上述の押下圧が大きくなった場合、又は上述の押下圧が小さくなった場合（図３：ステップＳ１０８でＹＥＳ）、切り替え時間変更部２０４は、上述の押下圧の変化の大小に対応して、上述の切り替え時間を変更する（図３：ステップＳ１０９）。例えば、上述の押下圧が大きくなった場合には、切り替え時間変更部２０４は、現在の切り替え時間よりも短い切り替え時間（例えば、１秒）に変更する。一方、上述の押下圧が小さくなった場合には、切り替え時間変更部２０４は、現在の切り替え時間よりも長い切り替え時間（例えば、３秒）に変更する。このように、ユーザーの指４０２の押下圧の大小により、切り替え時間を変更することで、ユーザーは、ワンタッチでアイコンの切り替え表示の速度を変更することが可能となる。
【００３６】
又、アイコン切り替え部２０３が前記アイコンの切り替え表示を行なっている間に、ユーザーの指４０２の押下が更に継続されているか、言い換えると、ユーザーの指４０２の押下が解除されたか否かを判定する（図３：ステップＳ１１０）。
【００３７】
上述の判定の結果、ユーザーの指４０２の押下が解除されない場合、つまり、ユーザーの指４０２の押下が継続されている場合（図３：ステップＳ１１０でＮＯ）、ステップＳ１０７へ戻って、アイコン切り替え部２０３は、更に、アイコンの切り替え表示を行なう。これにより、ユーザーが、指紋認証を兼ねて、指４０２をログイン画面４００に押下している間は、アイコンが切り替え表示されることになり、当該アイコンの切り替え表示で、ユーザーは、所望するアイコンを探すことが可能となる。
【００３８】
一方、ステップＳ１１０において、上述の判定の結果、ユーザーの指４０２の押下が解除された場合、つまり、ユーザーの指４０２の押下が継続されなかった場合（図３：ステップＳ１１０でＹＥＳ）は、ユーザーが今から使用する機能のアイコンが表示されたので、ユーザーが、指４０２をログイン画面４００から離した場合に対応する。この場合、アイコン切り替え部２０３は、その旨を機能遷移部２０５に通知する。当該通知を受けた機能遷移部２０５は、ユーザーが指４０２の押下を解除した時点に表示されたアイコンの機能に遷移する（図３：ステップＳ１１１）。
【００３９】
ここで、機能遷移部２０５が前記機能に遷移する方法は特定の方法に限定されない。例えば、図５Ａに示すように、ユーザーが指４０２の押下を解除した時点で、「コピー」機能のアイコン５００が表示されていた場合、機能遷移部２０５は、アイコンテーブル４０３から、アイコン５００に対応する機能４０６を取得する。そして、機能遷移部２０５は、アイコン５００に対応する機能４０６が、設定条件を入力する必要がある条件入力機能か、設定条件の入力を必要としない処理機能かを判定する。条件入力機能には、例えば、コピー、センド等の機能が該当し、処理機能には、例えば、ＩＤカードコピー等の機能が該当する。所定の機能が、条件入力機能か処理機能か否かは、管理者、製造者等により予め設定することが出来る。
【００４０】
上述の判定の結果、アイコン５００に対応する機能４０６が条件入力機能である場合、機能遷移部２０５は、操作部１０１のタッチパネル上に、アイコン５００に対応する機能４０６の操作画面を表示する。例えば、図５Ａに示すように、アイコン５００に対応する機能４０６が「コピー」機能である場合、「コピー」機能は条件入力機能であるため、機能遷移部２０５は、図６Ａに示すように、「コピー」機能の操作画面６００をタッチパネル上に表示する。これにより、ユーザーは、指４０２をタイミングよく離すことで、ワンタッチで、所望のアイコンに対応する機能の操作画面６００に直接遷移させることが可能となる。そして、ユーザーは、直ぐに、アイコンに対応する機能の設定条件の入力に取り掛かることが可能となる。
【００４１】
この後、例えば、機能遷移部２０５が、その旨を表示受付部２０６に通知し、当該通知を受けた表示受付部２０６は、操作画面６００を介して、ユーザーから設定条件の入力を受け付ける。ユーザーは、例えば、原稿を原稿台に載置して、設定条件を入力し、スタートキーを押下すれば、表示受付部２０６が、当該設定条件の入力を受け付けて、その旨を画像処理装置１００の機能実行部２０７に通知する。当該通知を受けた機能実行部２０７は、その設定条件に基づいて、アイコンに対応する機能を実行する。
【００４２】
一方、上述の判定の結果、アイコン５００に対応する機能４０６が上述の処理機能である場合、機能遷移部２０５は、その旨を画像処理装置１００の機能実行部２０７に通知する。当該通知を受けた機能実行部２０７は、アイコン５００に対応する機能４０６をそのまま実行する。例えば、アイコン５００に対応する機能４０６が「ＩＤカードコピー」機能であれば、機能実行部２０７が、直ぐに、ユーザーに対してＩＤカードの載置を求め、コピーの実行を促す。これにより、アイコン５００に対応する機能４０６が処理機能である場合、直ぐに、ユーザーは機能実行に取り掛かることが可能となる。
【００４３】
ところで、ステップＳ１０６において、何らかの理由で、ユーザーが指紋認証を終えて直ぐに指４０２の押下を解除した場合、つまり、ユーザーの指４０２の押下が継続していない場合は（図３：ステップＳ１０６でＮＯ）は、アイコン切り替え部２０３は、その旨を表示受付部２０６に通知する。当該通知を受けた表示受付部２０６は、操作部１０１のタッチパネル上に、各種の機能を選択可能に表示する初期画面６０１を表示させる（図３：ステップＳ１１２）。
【００４４】
ここで、前記初期画面６０１には、図６Ｂに示すように、「機能を選択して下さい。」の旨のメッセージ６０２と、ユーザーにより押下可能な機能毎のアイコン６０３とが表示される。アイコン６０３は、例えば、表示受付部２０６がアイコンテーブル４０３のアイコン４０２を取得することで、表示される。尚、ユーザーが所定の機能のアイコン６０３を選択すれば、表示受付部２０６は、当該選択されたアイコン６０３に対応する機能の操作画面を前記タッチパネル上に表示することになる。これにより、ユーザーは、初期画面６０１から所望の機能を選択して、特定の機能の操作画面に遷移させることが可能となる。
【００４５】
尚、本発明の実施形態では、複合機、複写機、プリンター、スキャナー等の画像処理装置の操作装置として採用したが、これに限定されることは無く、例えば、画像形成装置、画像送信装置等の電子機器の操作装置に採用してもよい。
【００４６】
又、本発明の実施形態では、操作装置が上述の各部を備えるよう構成したが、上述の各部を実現するプログラムを記録媒体に記憶させ、当該記録媒体を提供するよう構成しても構わない。当該構成では、そのプログラムを、操作装置に読み出させ、操作装置が上述の各部を実現する。
【産業上の利用可能性】
【００４７】
本発明に係る操作装置及び操作方法は、例えば電子機器の操作装置に適用できる。
【図１】
2016080363.tif 000003
【図２】
2016080363.tif 000004
【図３】
2016080363.tif 000005
【図４Ａ】
2016080363.tif 000006
【図４Ｂ】
2016080363.tif 000007
【図５Ａ】
2016080363.tif 000008
【図５Ｂ】
2016080363.tif 000009
【図６Ａ】
2016080363.tif 000010
【図６Ｂ】
2016080363.tif 000011
【国際調査報告】
2016080363.tif 000012
2016080363.tif 000013
2016080363.tif 000014
2016080363.tif 000015